(57)【要約】      （修正有）【課題】災害等の非常時において、給水等の目的で水等の液体を収容して運搬等を行う、主として液体等を密封状態で収容するための袋体に関し、水等の液体を収容して運搬するのに適した形態であり、しかもその運搬時にかかる水の荷重に対する耐久力が非常に良好であり、不用意に破損するようなことのない袋体を提供する。【解決手段】表片及び裏片からなる袋本体内に被収容物を密封状態で収容することができ、且つ該袋本体内に被収容物を収容した状態で把持することのできる把持用ヘッダー2が前記袋本体1の上部に設けられていることを特徴とする。【選択図】  図１
2007246119.tif 000002
【特許請求の範囲】
【請求項１】
表片（１ａ）及び裏片（１ｂ）からなる袋本体（１）内に被収容物を密封状態で収容することができ、且つ該袋本体（１）内に被収容物を収容した状態で把持することのできる把持用ヘッダー（２）が前記袋本体（１）の上部に設けられていることを特徴とする袋体。
【請求項２】
上部側の肉厚が下部側の肉厚よりも厚くなるように構成されている請求項１記載の袋体。
【請求項３】
袋本体（１）の上部に、指の挿入孔が穿設された把持用ヘッダー（２）が設けられている請求項１又は２記載の袋体。
【請求項４】
把持用ヘッダー（２）を含む上部の肉厚が１８０〜２７０μｍ、中間部の肉厚が１５０〜２２０μｍ、下部の肉厚が１３０〜２００μｍとなるように構成されている請求項１乃至３のいずれかに記載の袋体。
【請求項５】
把持用ヘッダー（２）の挿入孔が４個並列して穿設されている請求項３又は４記載の袋体。
【請求項６】
４個の挿入孔（７ａ）、（７ｂ）、（７ｃ）、（７ｄ）のうち、両側の２個の挿入孔（７ａ）、（７ｄ）が中央の２個の挿入孔（７ｂ）、（７ｃ）よりも把持用ヘッダー（２）における上側の位置に穿設されている請求項５記載の袋体。
【請求項７】
挿入孔が円形に形成されている請求項３乃至６のいずれかに記載の袋体。
【請求項８】
挿入孔が、上向きに幅広となる曲線を上縁部（１１）及び下縁部（１２）を有するような形状に形成され、且つ前記挿入孔の上縁部（１１）の上部側における把持用ヘッダー（２）の部分は、前記挿入孔に指を挿入した際に、指に対する復元力によって指を保持する保持片として形成されている請求項３乃至６のいずれかに記載の袋体。
【請求項９】
挿入孔の下縁部（１２）が、鋭利な底部のない緩やかな曲率の曲線を有して形成されている請求項８記載の袋体。
【請求項１０】
４個の挿入孔（７ａ）、（７ｂ）、（７ｃ）、（７ｄ）のうち、中央の２個の挿入孔（７ｂ）、（７ｃ）の上縁部（１１）の上部側の保持片（１３ｂ）、（１３ｃ）の上下方向の長さが、両側の２個の挿入孔（７ａ）、（７ｄ）の上縁部（１１）の上部側の保持片（１３ａ）、（１３ｄ）の上下方向の長さよりも長く形成されている請求項８又は９記載の袋体。
【請求項１１】
把持用ヘッダー（２）と袋本体（１）との境界線部分に、該袋本体（１）を密封するためのチャック（３）が設けられている請求項１乃至１０のいずれかに記載の袋体。
【請求項１２】
チャック（３）が上下に２条設けられている請求項１１記載の袋体。
【請求項１３】
上下２条のチャック（３）、（３）間に、相互に突き合わせ可能な突起が、袋本体（１）の表片（１ａ）及び裏片（１ｂ）にそれぞれ突設されている請求項１２記載の袋体。
【請求項１４】
袋本体（１）の表片（１ａ）に、収容される液体の容量を示す少なくとも１以上の容量表示線が表示されている請求項１乃至１３のいずれかに記載の袋体。
【請求項１５】
袋本体（１）に日付・名前表示欄（１５）が設けられている請求項１乃至１４のいずれかに記載の袋体。
【発明の詳細な説明】
【技術分野】
【０００１】
本発明は袋体、さらに詳しくは、災害等の非常時において、給水等の目的で水等の液体を収容して運搬等を行う、主として液体等を密封状態で収容するための袋体に関する。
【背景技術】
【０００２】
天災地変等の災害時においては、寸断されたライフラインのことを考慮して多くの物資を準備する必要があり、特に水は人間の生存にとって必須の物資であるから、
災害等の非常時において、給水をどのように行うかを考慮することは非常に重要である。ライフラインが寸断されると、水道管等による給水が行えなくなるので、一般には容器等に水を収容し、運搬し、保管することが行われている。
【０００３】
このような場合において、容器に水を収容して人手で運搬するのは、その重量のために非常に大変な作業となるが、水自体に重量があるので作業の軽減を図るにも限界がある。ただし、容器の重量を低減させれば、その分、全体の重量も低減されることとなるので、一般にはプラスチック製の容器がこのような非常時の給水用の容器として用いられている。
【０００４】
しかしながら、このようなプラスチック製の容器を用いる場合には、保管時に嵩張るので、これをどのように解決するかが問題となる。すなわち、水の容量が多いほど重量も増加するので、容器の大きさを極端に大きくすると持ち運びが不可能になるが、実際に災害等が生じた場合には、目的地までの水の運搬を何度も繰り返して行うことはできないので、一回の運搬時の水はある程度の量とせざるを得ず、従って、容器の大きさもある程度の大きさとする必要がある。
【０００５】
このような天災地変等の災害時に対する備えは、常日頃から行う必要があり、従って上記のような給水用の容器も常時保管しておかなければならないが、このような万一の場合の備えのために保管スペースをとらなければならないのは無駄でもある。このため、非常時の備えとして上記のような容器を常時保管するようなことはされていないのが現状である。
【０００６】
そこで、このような問題点を解決するために、立体的な形態を有する故に、その形態を変えることのできない上記のような容器に代えて、プラスチック製の素材ではあるが、軟質のシートで構成された袋体を、上記のような災害等の非常時における給水等の目的に使用することも考えられる。
【０００７】
ところで、水等の液体を収容するための袋体として、従来では、たとえば下記特許文献１のような出願がなされている。この特許文献１に係る発明は、プラスチックチャック付き袋体において、プラスチックチャックの内容物収容側近傍に、少なくとも１箇所の流体流路を有するシール部を、そのプラスチックチャックと平行な方向に設けたことを特徴とするものである（請求項１、明細書［０００６］等）。
【０００８】
【特許文献１】特開２００３−２６７４０１号公報
【０００９】
そして、上記のようなシール部を形成することで、袋体の側面に相当の力がかかって袋体内部の圧力が上昇しても、プラスチックチャックの内容物収容側がシール部で保持されてみだりにチャックが開かれないような作用を奏するものである。
【００１０】
しかしながら、上記特許文献１に記載された袋体は、そもそも緩衝用等として使用することを意図されているもので（明細書［０００１］、［０００５］、［００１２］等）、袋体の側面に力がかかったときの袋体のシール性については考慮されているが、このような袋体を上記のような災害等の非常時における給水等の目的でしようする場合には、好適に使用することができない。
【００１１】
すなわち、上記非常時における給水等の目的で使用する場合には、携帯して運搬できることが必要であり、またその運搬時に相当な水の重量が袋体にかかるため、このような重量に耐える構造であることが必要である。この点、上記特許文献１に記載された袋体は、そもそも携帯して運搬するのに適した形態のものでは決してなく、またその運搬時に水の重量に耐えることができるという保証もない。さらに水漏れを好適に防止することが必ずしもできない。
【発明の開示】
【発明が解決しようとする課題】
【００１２】
本発明は、上述のような問題点を解決するためになされたもので、水等の液体を収容して運搬するのに適した形態であり、しかもその運搬時にかかる水の荷重に対する耐久力が非常に良好であり、不用意に破損するようなことのない袋体を提供することを課題とする。
【課題を解決するための手段】
【００１３】
本発明は、このような課題を解決するためになされたもので、請求項１記載の発明は、表片１ａ及び裏片１ｂからなる袋本体１内に被収容物を密封状態で収容することができ、且つ該袋本体１内に被収容物を収容した状態で把持することのできる把持用ヘッダー２が前記袋本体１の上部に設けられていることを特徴とする。また請求項２記載の発明は、請求項１記載の袋体において、上部側の肉厚が下部側の肉厚よりも厚くなるように構成されていることを特徴とする。さらに請求項３記載の発明は、請求項１又は２記載の袋体において、袋本体１の上部に、指の挿入孔が穿設された把持用ヘッダー２が設けられていることを特徴とする。
【００１４】
さらに請求項４記載の発明は、請求項１乃至３のいずれかに記載の袋体において、
把持用ヘッダー２を含む上部の肉厚が１８０〜２７０μｍ、中間部の肉厚が１５０〜２２０μｍ、下部の肉厚が１３０〜２００μｍとなるように構成されていることを特徴とする。さらに請求項５記載の発明は、請求項３又は４記載の袋体において、把持用ヘッダー２の挿入孔が４個並列して穿設されていることを特徴とする。
【００１５】
さらに請求項６記載の発明は、請求項５記載の袋体において、４個の挿入孔７ａ、７ｂ、７ｃ、７ｄのうち、両側の２個の挿入孔７ａ、７ｄが中央の２個の挿入孔７ｂ、７ｃよりも把持用ヘッダー２における上側の位置に穿設されていることを特徴とする。さらに請求項７記載の発明は、請求項３乃至６のいずれかに記載の袋体において、挿入孔が円形に形成されていることを特徴とする。
【００１６】
さらに請求項８記載の発明は、請求項３乃至６のいずれかに記載の袋体において、挿入孔が、上向きに幅広となる曲線を上縁部１１及び下縁部１２を有するような形状に形成され、且つ前記挿入孔の上縁部１１の上部側における把持用ヘッダー２の部分は、前記挿入孔に指を挿入した際に、指に対する復元力によって指を保持する保持片として形成されていることを特徴とする。さらに請求項９記載の発明は、請求項８記載の袋体において、挿入孔の下縁部１２が、鋭利な底部のない緩やかな曲率の曲線を有して形成されていることを特徴とする。
【００１７】
さらに請求項１０記載の発明は、請求項８又は９記載の袋体において、４個の挿入孔７ａ、７ｂ、７ｃ、７ｄのうち、中央の２個の挿入孔７ｂ、７ｃの上縁部１１の上部側の保持片１３ｂ、１３ｃの上下方向の長さが、両側の２個の挿入孔７ａ、７ｄの上縁部１１の上部側の保持片１３ａ、１３ｄの上下方向の長さよりも長く形成されていることを特徴とする。さらに請求項１１記載の発明は、請求項１乃至１０のいずれかに記載の袋体において、把持用ヘッダー２と袋本体１との境界線部分に、該袋本体１を密封するためのチャック３が設けられていることを特徴とする。
【００１８】
さらに請求項１２記載の発明は、請求項１１記載の袋体において、チャック３が上下に２条設けられていることを特徴とする。さらに請求項１３記載の発明は、請求項１２記載の袋体において、上下２条のチャック３、３間に、相互に突き合わせ可能な突起が、袋本体１の表片１ａ及び裏片１ｂにそれぞれ突設されていることを特徴とする。さらに請求項１４記載の発明は、請求項１乃至１３のいずれかに記載の袋体において、袋本体１の表片１ａに、収容される液体の容量を示す少なくとも１以上の容量表示線が表示されていることを特徴とする。さらに請求項１５記載の発明は、請求項１乃至１４のいずれかに記載の袋体において、袋本体１に日付・名前表示欄１５が設けられていることを特徴とする。
【発明の効果】
【００１９】
本発明は、上述のように、表片及び裏片からなる袋本体内に液体等の被収容物を収容することができ、且つ該袋本体内に密封状態で被収容物を収容した状態で把持することのできる把持用ヘッダーが前記袋本体の上部に設けられているので、災害等の非常時に給水などの目的で使用する場合においても、この把持用ヘッダーを把持することで容易に携帯して運搬することができる。
特に、袋体の上部側の肉厚が下部側の肉厚よりも厚くなるように構成されている場合には、上記のように把持用ヘッダーを把持する際に、被収容物である水等の液体による重力が袋体にかかっても、水運搬時の把持部分である把持用ヘッダーに近い袋本体の上部側の肉厚が、その把持部分である把持用ヘッダーから遠い位置にある袋本体の下部側の肉厚よりも厚いので、このような肉厚の異なる袋体の構造によって、上記水等によって袋体にかかる荷重が極力緩和されることとなり、その結果、運搬時において、袋体、特に袋体のヘッダー部が不用意に破裂等で損傷することもなく、その損傷に伴って水が零れるようなことも防止されるという効果がある。
また袋体の上部側の肉厚が下部側の肉厚よりも厚くなるように構成されている結果、把持用ヘッダーを把持する場合に持ち易いという利点がある。
【００２０】
そして把持用ヘッダーを把持するための手段が、該把持用ヘッダーに穿設された
指の挿入孔である場合には、袋体自体に把手の機能を具備させることができるので、
別体の把手を袋体に取り付ける等の作業を必要とすることもない。また挿入孔に指を挿入するだけの操作で把持用ヘッダーを把持することできるので、その取り扱いも非常に容易である。
【００２１】
さらに、把持用ヘッダーを含む上部の肉厚が１８０〜２７０μｍ、中間部の肉厚が１５０〜２２０μｍ、下部の肉厚が１３０〜２００μｍとなるように構成されている場合には、袋体の下側から上側に至るにつれて、徐々に肉厚が厚くなるように構成されることとなるので、上記のような水等の収容物による荷重をより好適に吸収することができ、しかも上部、中間部、下部が、それぞれ一般の汎用の合成樹脂製フィルムなどに比べて著しく厚い肉厚に形成されているので、荷重に対する耐久力が一層良好になるという効果がある。
【００２２】
さらに、把持用ヘッダーに挿入孔が４個並列して形成されている場合には、親指以外の４本の指をそれぞれの挿入孔に挿入して把持用ヘッダーを把持することができるので、重量のある水等の運搬時において、非常に安定した状態で把持することができるという効果がある。
【００２３】
さらに、４個の挿入孔のうち、両側の２個の挿入孔が中央の２個の挿入孔よりも把持用ヘッダーにおける上側の位置に穿設されている場合には、中指と薬指とを中央の２個の挿入孔に挿入し、人指し指と小指とを両側の２個の挿入孔に挿入する等、指の長さに応じた位置にそれぞれの挿入孔が穿設されているので、指の挿入作業も容易に行うことができるという効果がある。
【００２４】
そして、挿入孔が円形に形成されている場合には、指の挿入を容易に行うことができるが、さらに、その挿入孔が、上向きに幅広となる曲線を上縁部及び下縁部に有するような形状に形成され、且つその挿入孔の上縁部の上部側における把持用ヘッダーの部分が前記挿入孔に指を挿入した際に、指に対する復元力によって指を保持する保持片として形成されている場合には、指の挿入時には保持片が外側に撓み、
それによって少なくとも挿入孔の上縁部の端縁は指に触れて食い込むことがなく、挿入孔が円形に形成されている場合に比べて指の痛みを緩和することができる。その一方で、保持片の復元力が指に作用するので、袋体の運搬時において指が挿入孔から不用意に抜け出るようなこともなく、一層安定した状態で袋体を運搬することができるという効果がある。
【００２５】
特に、挿入孔の下縁部が、鋭利な底部のない緩やかな曲率の曲線を有して形成されている場合には、挿入孔の下縁部の端縁が指に触れることによる痛みも緩和することができるという効果がある。そして、このような指の痛みを緩和できる効果は、収容物である水などの液体の重量が相当なものであるだけに、上記のような非常時における給水用等の用途に使用する場合に非常に有用なものとなる。
【００２６】
さらに、上記４個の挿入孔のうち、中央の２個の挿入孔の上縁部上部側の保持片の上下方向の長さが、両側の２個の挿入孔の上縁部上部側の保持片の上下方向の長さよりも長く形成されている場合には、指の長さ、太さに応じて保持片が作用することになるので、中央の２個の挿入孔に挿入される中指や薬指に対しては、長い保持片が有効に作用することとなる。
【００２７】
さらに袋体の表片及び裏片に、相互に嵌合可能なチャックが上下に２条それぞれ設けられているとともに、上下２条のチャック間に、相互に突き合わせ可能な突起が、袋本体の表片及び裏片にそれぞれ突設されている場合には、このような突起を相互に突き合わせることによって、単にチャックのみでシールする場合に比べて、密封性が一層良好となる。この結果、給水用として用いるような場合に、水漏れを好適に防止することができるという効果がある。
【００２８】
さらに、袋本体の表片に、収容される液体の容量を示す少なくとも１以上の容量表示線が表示されている場合には、収容される水の容量を、一目見て判別することができるという効果がある。
さらに袋本体に日付・名前表示欄を設けた場合には、たとえば水を袋体に収容した日付や、袋体の使用者の氏名を上記日付・名前表示欄に記入する等によって、保管時等の利便を図ることができるという効果がある。
【発明を実施するための最良の形態】
【００２９】
以下、本発明の実施形態について、図面に従って説明する。
【００３０】
（実施形態１）
本実施形態の液体収容用袋体は、図１及び図２に示すように、水等の液体を収容するための袋本体１と、該袋本体１から区画されて該袋本体１の上部に形成された
把持用ヘッダー２とで構成されている。そして、この袋本体１と把持用ヘッダー２との区画は、横方向に形成された２条のチャック３、３によってなされている。
【００３１】
そして、前記袋本体１は、相互に対面する表片１ａ及び裏片１ｂによって構成され、前記把持用ヘッダー２は、前記袋本体１の表片１ａ、裏片１ｂを上部に延長して一体的に形成された表片２ａ及び裏片２ｂによって構成されている。この袋本体１は、１枚の合成樹脂製シートを折り返してその折返部を底部４とし、表片１ａ、裏片１ｂの両側縁を熱溶着等でシールすることによって袋状に形成されている。本実施形態では、袋本体１を構成する合成樹脂として、ポリエチレンが用いられている。
【００３２】
前記区画部分としての２条のチャック３、３は、図３に示すように、前記袋本体１の表片１ａ側に取り付けられた雌チャック部３ａと、該袋本体１の裏片１ｂ側に取り付けられた雄チャック部３ｂとでそれぞれ構成されている。そして、この雌チャック部３ａと雄チャック部３ｂとは、袋本体１の開封時以外は相互に嵌合状態と
されている。また、上下２条のチャック３、３間には、相互に突き合わせ可能な突起６ａ、６ｂが、前記袋本体１の表片１ａ側と裏片１ｂ側とにそれぞれ３条ずつ突設されている。
【００３３】
さらに、前記把持用ヘッダー２には、図１乃至図３に示すように、指を挿入するための円形の挿入孔７ａ、７ｂ、７ｃ、７ｄが並列して穿設されている。この４個の挿入孔７ａ、７ｂ、７ｃ、７ｄのうち、両側の２個の挿入孔７ａ、７ｄは、図１に示すように、中央の２個の挿入孔７ｂ、７ｃよりも、把持用ヘッダー２における上側の位置に形成されている。そして、両側の２個の挿入孔７ａ、７ｄは同じ高さの位置に形成され、中央の２個の挿入孔７ｂ、７ｃは同じ高さの位置に形成されている。
【００３４】
さらに、袋本体１の上部側の肉厚は、下部側の肉厚よりも厚くなるように構成されている。より具体的には、把持用ヘッダー２及び袋本体１の上部を構成する合成樹脂製シートの肉厚は２５０μｍに形成され、袋本体１の中間部を構成する合成樹脂製シートの肉厚は２００μｍに形成され、袋本体１の下部を構成する合成樹脂製シートの肉厚は１８０μｍに形成されている。
【００３５】
さらに袋本体１の表片１ａ側には、図１に示すように、収容される水の容量を示す４本の容量表示線８ａ、８ｂ、８ｃ、８ｄが表示されている。そして、このような４本の容量表示線８ａ、８ｂ、８ｃ、８ｄは、上側から順に、５L、４L、３L、２Lの容量を表示するものであり、最上部の容量表示線８ａは、袋本体１に収容しうる水の最大水位を示すものである。
【００３６】
さらに袋本体１の表片１ａ側であって、前記最下部の容量表示線８ｄの下方には
日付・名前表示欄１５が設けられている。この日付・名前表示欄１５は、たとえば
水を袋体に収容した日付や、袋体の使用者の氏名を記入するための欄である。
さらに、把持用ヘッダー２を構成する表片２ａ及び裏片２ｂの上部には、相互に
突き合わせ可能な突起９ａ、９ｂが、前記表片２ａ側と裏片２ｂ側とにそれぞれ２条ずつ突設されている。
【００３７】
そして、このような構成からなる液体収容用袋体に水を収容する場合には、先ず袋本体１の表片１ａ及び裏片１ｂを、図４の矢印方向に示すように、相互に離間するように外側に引っ張る。これによって、同図に示すように、２条のチャック３、３の雌チャック部３ａと雄チャック部３ｂとの嵌合状態が解除されることとなり、袋体が開封された状態となる。
【００３８】
次に、開封されて開口状態となった袋体の上部から水１０を袋本体１内に収容した後、図５及び図６に示すように、再度チャック３、３の雌チャック部３ａと雄チャック部３ｂとを嵌合させ、さらに同図に示すように、２条のチャック３、３間において袋本体１の表片１ａ側と裏片１ｂ側とにそれぞれ３条ずつ突設された突起６ａ、６ｂを突き合わせる。
【００３９】
これによって、袋本体１は、チャック３、３の嵌合のみならず、突起６ａ、６ｂの突き合わせによっても封止されているため、その袋本体１の密封状態が非常に良好となる。この結果、給水用として水を運搬するような場合における水漏れを好適に防止することができる。
【００４０】
尚、収納する水の容量は、上記４本の容量表示線８ａ、８ｂ、８ｃ、８ｄに基づいて容易に設定することができる。すなわち水を５L収容する場合には、容量表示線８ａの位置に合わせて水を収容し、４L収容する場合には容量表示線８ｂの位置に合わせて水を収容し、３L収容する場合には容量表示線８ｃの位置に合わせて水を収容し、２L収容する場合には容量表示線８ｄの位置に合わせて水を収容することとなる。いずれの場合であっても、水面を容量表示線８ａ、８ｂ、８ｃ、８ｄの位置に合わせて収容すればよいので、所定量の水を収容する作業も非常に容易に行うことができる。
【００４１】
そして、このように水が収容されて密封された袋体を携帯して運搬する場合には、
挿入孔７ａ、７ｂ、７ｃ、７ｄに指を挿入し、より具体的には、両側の２個の挿入孔７ａ、７ｄには人指し指と小指を挿入し、中央の２個の挿入孔７ｂ、７ｃには、
中指と薬指を挿入することで、把持用ヘッダー２を把持することが可能となる。
【００４２】
この場合において、両側の２個の挿入孔７ａ、７ｄが中央の２個の挿入孔７ｂ、７ｃよりも、把持用ヘッダー２における上側の位置に形成される等、指の長さに応じた位置にそれぞれの挿入孔が穿設されているので、中指と薬指とを中央の２個の挿入孔に挿入し、人指し指と小指とを両側の２個の挿入孔に挿入することで、指の挿入作業を容易に行うことができる。
【００４３】
さらに、並列して配置された４個の挿入孔７ａ、７ｂ、７ｃ、７ｄに指を挿入して把持用ヘッダー２を把持することができるので、重量のある水等を運搬する場合に、袋体にかかる荷重もそれぞれの挿入孔７ａ、７ｂ、７ｃ、７ｄに分散されて荷重が緩和されることとなり、非常に安定した状態で袋体を把持することができる。
【００４４】
さらに、把持用ヘッダー２及び袋本体１の上部を構成する合成樹脂製シートの肉厚が２５０μｍに形成され、袋本体１の中間部を構成する合成樹脂製シートの肉厚が２００μｍに形成され、袋本体１の下部を構成する合成樹脂製シートの肉厚が１８０μｍに形成されており、全体として袋本体１の下部側から上部側に向かうにつれて徐々に肉厚が厚くなるように構成されているので、水のような重量のある収容物による荷重を好適に吸収することができる。また２５０μｍ、２００μｍ、１８０μｍという、一般に４０〜５０μｍ程度の合成樹脂製の汎用シートに比べると、その厚さが著しく厚く、荷重に対する耐久力が非常に良好となっている。
【００４５】
このように、本実施形態の袋体は、人指し指から小指までの４本の指の長さに応じて４個の挿入孔７ａ、７ｂ、７ｃ、７ｄの位置が配置され、また４個の挿入孔７ａ、７ｂ、７ｃ、７ｄに４本の指を挿入することで安定した状態で把持用ヘッダー２を把持することができ、且つ袋体を構成する合成樹脂製シートの肉厚が厚く、しかも、その肉厚は袋本体１の下部側から上部側に向かうにつれて徐々に厚くなるように構成されているので、把持部分である把持用ヘッダー２にかかる荷重が好適に吸収、分散され、災害等の非常時に給水のために運搬するのに適した強度を有する袋体を提供することが可能となった。
【００４６】
（実施形態２）
本実施形態の液体収容用袋体は、図７に示すように、上下２条のチャック３、３間に突起が形成されておらず、この点でチャック３、３間に相互に突き合わせ可能な係合突起６ａ、６ｂが袋本体１の表片１ａ側と裏片１ｂ側とに３条ずつ突設されていた実施形態１の場合と相違する。
【００４７】
このように本実施形態では突起６ａ、６ｂが袋本体１に設けられていないので、袋本体１内に水を収容して密封する際に、その密封性や水漏れ防止効果が実施形態１に比べて若干低下することとなる。
【００４８】
しかしながら、チャック３を構成する雌チャック部３ａと雄チャック部３ｂとの嵌合によって袋本体１の上部が封止され、且つそのチャック３は上下に２条設けられているので、袋本体１内に水を収容して運搬するのに必要な密封性は維持されることとなる。
【００４９】
チャック３の上下に袋本体１と把持用ヘッダー２とがそれぞれ設けられている点、
袋本体１が表片１ａ及び裏片１ｂによって構成されている点、把持用ヘッダー２が表片２ａ及び裏片２ｂによって構成されている点、袋本体１が１枚の合成樹脂製シートを折り返してその折返部を底部４とし、表片１ａ、裏片１ｂの両側縁を熱溶着等でシールすることによって袋状に形成されている点、チャック３、３が雌チャック部３ａと、雄チャック部３ｂとで構成されている点、袋本体１や把持用ヘッダー２の材質、挿入孔の数、把持用ヘッダー２及び袋本体１を構成する合成樹脂製シートの肉厚、容量表示線の表示、把持用ヘッダー２の表片２ａ及び裏片２ｂの上部に係合突起９ａ、９ｂが２条ずつ突設されている点等は上記実施形態１と同じであるため、その詳細な説明は省略する。
【００５０】
本実施形態においても、４本の指を４個の挿入孔に挿入することで安定した状態で把持用ヘッダー２を把持することができ、且つ袋体を構成する合成樹脂製シートの肉厚が厚く、袋本体１の下部側から上部側に向かうにつれて徐々に厚くなるように構成されているので、把持部分である把持用ヘッダー２にかかる荷重を好適に吸収、分散して、非常時に給水のために運搬するのに適した強度を有する袋体を提供することができる。
【００５１】
（実施形態３）
本実施形態の液体収容用袋体は、把持用ヘッダー２に穿設された挿入孔７ａ、７ｂ、７ｃ、７ｄの形状が上記実施形態１及び２と相違する。すなわち、本実施形態では、図８及び図９に示すように、挿入孔７ａ、７ｂ、７ｃ、７ｄは、上向きに幅広となる曲線を上縁部１１及び下縁部１２に有するような形状に形成されている。この挿入孔７ａ、７ｂ、７ｃ、７ｄの上縁部１１と下縁部１２とは、ともに曲線で形成されているが、上縁部１１では最下部（底部）１１ａ、１１ｂ、１１ｃ、１１ｄがやや鋭利な状態の曲線に形成されているのに対し、下縁部１２では最下部１２ａ、１２ｂ、１２ｃ、１２ｄが上縁部１１に比べて鋭利さが少なく緩やかな曲率の曲線を有して形成されている。
【００５２】
そして、上縁部１１の上部側における把持用ヘッダー２の部分は、前記挿入孔７ａ、７ｂ、７ｃ、７ｄに指を挿入した際に、指に対する復元力によって指を保持する保持片１３ａ、１３ｂ、１３ｃ、１３ｄとして形成されている。また４個の挿入孔７ａ、７ｂ、７ｃ、７ｄのうち、中央の２個の挿入孔７ｂ、７ｃの上縁部１１ｂ、１１ｃの上部側の保持片１３ｂ、１３ｃの上下方向の長さｄ2は、両側の２個の挿入孔７ａ、７ｄの上縁部１１ａ、１１ｄの上部側の保持片１３ａ、１３ｄの上下方向の長さｄ1よりも長く形成されている。
【００５３】
チャック３の上下に袋本体１と把持用ヘッダー２とがそれぞれ設けられている点、
袋本体１が表片１ａ及び裏片１ｂによって構成されている点、把持用ヘッダー２が表片２ａ及び裏片２ｂによって構成されている点、袋本体１が１枚の合成樹脂製シートを折り返してその折返部を底部４とし、表片１ａ、裏片１ｂの両側縁を熱溶着等でシールすることによって袋状に形成されている点、チャック３、３が雌チャック部３ａと、雄チャック部３ｂとで構成されている点、上下２条のチャック３、３間に、相互に突き合わせ可能な突起６ａ、６ｂが、袋本体１の表片１ａ側と裏片１ｂ側とにそれぞれ３条ずつ突設されている点、袋本体１や把持用ヘッダー２の材質、挿入孔の数、把持用ヘッダー２及び袋本体１を構成する合成樹脂製シートの肉厚、容量表示線の表示、把持用ヘッダー２の表片２ａ及び裏片２ｂの上部に突起９ａ、９ｂが２条ずつ突設されている点等は上記実施形態１と同じであるため、その詳細な説明は省略する。
【００５４】
本実施形態においても、チャック３、３の雌チャック部３ａと雄チャック部３ｂとの嵌合状態を解除して袋体を開封状態とし、袋体の上部から水１０を袋本体１内に収容し、再度チャック３の雌チャック部３ａと雄チャック部３ｂとを嵌合させ、突起６ａ、６ｂを突き合わせることで、袋本体１の密封状態を良好にし、水漏れを好適に防止することができる。また容量表示線８ａ、８ｂ、８ｃ、８ｄの位置に合わせて所定量の水を収容する作業も非常に容易に行うことができる。これらの点で実施形態１と共通する。
【００５５】
さらに、密封された袋体を携帯して運搬する場合にも、上記実施形態１と同様に
両側の２個の挿入孔７ａ、７ｄには人指し指と小指を挿入し、中央の２個の挿入孔７ｂ、７ｃには、中指と薬指を挿入することで、把持用ヘッダー２を把持する。この場合に、両側の２個の挿入孔７ａ、７ｄが中央の２個の挿入孔７ｂ、７ｃよりも、把持用ヘッダー２における上側の位置に形成されているので、中指と薬指とを中央の２個の挿入孔に挿入し、人指し指と小指とを両側の２個の挿入孔に挿入することで、指の挿入作業を容易に行うことができるとともに、安定した状態で把持用ヘッダー２を把持することができる点も実施形態１と共通している。
【００５６】
ただし、挿入孔７ａ、７ｂ、７ｃ、７ｄの形状が異なっているので、それに伴う作用が実施形態１と相違している。すなわち本実施形態においては、図１２に示すように、指１４を挿入したときに、各挿入孔７ａ、７ｂ、７ｃ、７ｄの上縁部１１の上部側の保持片１３ａ、１３ｂ、１３ｃ、１３ｄが撓み、その撓む方向と逆方向の復元力が保持片１３ａ、１３ｂ、１３ｃ、１３ｄに生じ、その復元力が各挿入孔７ａ、７ｂ、７ｃ、７ｄの挿入されたそれぞれの指に作用して、挿入孔７ａ、７ｂ、７ｃ、７ｄ内で指が確実に保持されることとなる。これによって、指１４が挿入孔７ａ、７ｂ、７ｃ、７ｄから不用意に抜け出るのが好適に阻止されることとなる。
【００５７】
より詳細に説明すれば、各挿入孔７ａ、７ｂ、７ｃ、７ｄの縦方向の長さ、具体的には各挿入孔７ａ、７ｂ、７ｃ、７ｄの上縁部１１の最下部１１ａ、１１ｂ、１１ｃ、１１ｄから、下縁部１２の最下部１２ａ、１２ｂ、１２ｃ、１２ｄまでの長さＬは、挿入される指の幅（太さ）に比べて狭く（短く）形成されている。従って、各挿入孔７ａ、７ｂ、７ｃ、７ｄに指１４を挿入したときには、指１４が保持片１３ａ、１３ｂ、１３ｃ、１３ｄに必然的に当たることとなり、それによって保持片１３ａ、１３ｂ、１３ｃ、１３ｄが上述のように撓んで上述のような指に対する作用が生じるのである。
【００５８】
しかも、各挿入孔７ａ、７ｂ、７ｃ、７ｄの上縁部１１側においては、撓んだ
保持片１３ａ、１３ｂ、１３ｃ、１３ｄが指に接触するが、上縁部１１自体は指に直接接触するわけではないので、指の痛さがある程度緩和されることとなる。一方、
挿入孔７ａ、７ｂ、７ｃ、７ｄの下縁部１１側においては、上記のような保持片１３ａ、１３ｂ、１３ｃ、１３ｄが存在しないので、下縁部１１自体が指に直接接触することになるが、その下縁部１２では、最下部１２ａ、１２ｂ、１２ｃ、１２ｄが上縁部１１に比べて鋭利さが少なく緩やかな曲率の曲線を有して形成されているので、その分、指の痛さが緩和されることとなるのである。
【００５９】
このような点に関し、実施形態１では円形に形成された挿入孔７ａ、７ｂ、７ｃ、７ｄの孔の径が、指の幅（太さ）と略同じ若しくはわずかに大きく形成されているので、その挿入孔７ａ、７ｂ、７ｃ、７ｄの周縁部の略全周において指が接触することとなる。このため、指に対する保持力を高めて指の不用意な抜け出しを阻止する効果や、孔の端縁が接触することによる指の痛みを緩和する効果については、本実施形態においては、上記実施形態１に比べて優れていると認められる。
【００６０】
さらに、この場合において、中央の２個の挿入孔７ｂ、７ｃの上縁部１１ｂ、１１ｃの上部側の保持片１３ｂ、１３ｃの長さｄ2が、両側の２個の挿入孔７ａ、７ｄの上縁部１１ａ、１１ｄの上部側の保持片１３ａ、１３ｄの長さｄ1よりも長く形成されているので、中央側の挿入孔７ｂ、７ｃに挿入される太い中指や薬指に対して、
長さｄ2の長い保持片１３ｂ、１３ｃの復元力がより有効に作用し、安定した状態で保持することのできる効果を一層高めることとなっている。
【００６１】
このように、本実施形態においては、挿入孔７ａ、７ｂ、７ｃ、７ｄの形状が上記実施形態１及び２と相違することで、実施形態１及び２では生じることのない特有の作用効果が生じることとなっているのである。
【００６２】
さらに、把持用ヘッダー２及び袋本体１の上部を構成する合成樹脂製シートの肉厚は、上記実施形態１等と同様に構成されているので、該実施形態１等と同様に、
水を収容したときの袋体にかかる荷重に対する耐久力が良好となる。
【００６３】
（実施形態４）
本実施形態の液体収容用袋体は、図１３に示すように、挿入孔７ａ、７ｂ、７ｃ、７ｄは、上向きに幅広となる曲線を上縁部１１及び下縁部１２に有するような形状に形成されており、この点で実施形態３と共通する。従って、上縁部１１の上部側における把持用ヘッダー２の部分は、前記挿入孔７ａ、７ｂ、７ｃ、７ｄに指を挿入した際に、指に対する復元力によって指を保持する保持片１３ａ、１３ｂ、１３ｃ、１３ｄとして形成されることとなり、この点でも実施形態３と共通している。
【００６４】
従って、指１４を挿入したときに保持片１３ａ、１３ｂ、１３ｃ、１３ｄが撓んで、その復元力によって指が確実に保持され、指１４が挿入孔７ａ、７ｂ、７ｃ、７ｄから不用意に抜け出るのが阻止される効果や、撓んだ保持片１３ａ、１３ｂ、１３ｃ、１３ｄが指に接触し、上縁部１１自体が指に直接接触しないために指の痛さがある程度緩和される効果が、実施形態３と同様に生じることとなる。
【００６５】
しかし、本実施形態においては、４個の挿入孔７ａ、７ｂ、７ｃ、７ｄの上縁部１１ｂ、１１ｃの上部側の保持片１３ｂ、１３ｃの上下方向の長さｄがすべて同じであり、この点で中央の挿入孔７ｂ、７ｃ側の保持片１３ｂ、１３ｃの長さｄ2が、両側の挿入孔７ａ、７ｄ側の保持片１３ａ、１３ｄの長さｄ1よりも長く形成されていた実施形態３の場合と相違する。
【００６６】
また、挿入孔７ａ、７ｂ、７ｃ、７ｄの上縁部１１の最下部１１ａ、１１ｂ、１１ｃ、１１ｄにおける曲線の曲率と、下縁部１２の最下部１２ａ、１２ｂ、１２ｃ、１２ｄにおける曲線の曲率とがほぼ同程度で、やや鋭利な状態の曲線に形成されており、この点においても、下縁部１２の最下部１２ａ、１２ｂ、１２ｃ、１２ｄが上縁部１１の最下部１１ａ、１１ｂ、１１ｃ、１１ｄに比べて鋭利さが少なく緩やかな曲率の曲線を有して形成されていた実施形態３の場合と相違する。
【００６７】
従って、これらの相違点に基づき、太い中指や薬指に対して中央側の保持片１
３ｂ、１３ｃの復元力がより有効に作用して安定した状態で保持しうるという作用効果や、下縁部１２では最下部１２ａ、１２ｂ、１２ｃ、１２ｄが緩やかな曲率の曲線を有して形成されることで、指の痛さが緩和されるという作用効果等、上記実施形態３に特有の作用効果は生じない。
【００６８】
チャック３の上下に袋本体１と把持用ヘッダー２とがそれぞれ設けられている点、
袋本体１が表片１ａ及び裏片１ｂによって構成されている点、把持用ヘッダー２が表片２ａ及び裏片２ｂによって構成されている点、袋本体１が１枚の合成樹脂製シートを折り返してその折返部を底部４とし、表片１ａ、裏片１ｂの両側縁を熱溶着等でシールすることによって袋状に形成されている点、チャック３、３が雌チャック部３ａと、雄チャック部３ｂとで構成されている点、上下２条のチャック３、３間に、相互に突き合わせ可能な突起６ａ、６ｂが、袋本体１の表片１ａ側と裏片１ｂ側とにそれぞれ３条ずつ突設されている点、袋本体１や把持用ヘッダー２の材質、挿入孔の数、把持用ヘッダー２及び袋本体１を構成する合成樹脂製シートの肉厚、容量表示線の表示、把持用ヘッダー２の表片２ａ及び裏片２ｂの上部に突起９ａ、９ｂが２条ずつ突設されている点等は上記実施形態１乃至３と同様であるため、その詳細な説明は省略する。
【００６９】
また袋本体１を密封状態に維持できる点、容量表示線８ａ、８ｂ、８ｃ、８ｄの位置に合わせて所定量の水を収容しうる点、合成樹脂製シートの肉厚が上記実施形態１等と同様に構成されているので、該実施形態１等と同様に水を収容したときの袋体にかかる荷重に対する耐久力が良好となる点等も上記各実施形態と共通する。
【００７０】
（その他の実施形態）
尚、上記実施形態では、把持用ヘッダー２及び袋本体１の上部を構成する合成樹脂製シートの肉厚を２５０μｍに形成し、袋本体１の中間部を構成する合成樹脂製シートの肉厚を２００μｍに形成し、袋本体１の下部を構成する合成樹脂製シートの肉厚を１８０μｍに形成したが、それぞれ３箇所における肉厚も上記実施形態に限定されるものではない。
【００７１】
ただし、水を収容する際に袋本体１にかかる荷重を考慮すると、把持用ヘッダー２を含む袋体の上部の肉厚は１８０〜２７０μｍ程度であることが好ましく、袋体の中間部の肉厚は１５０〜２２０μｍ程度であることが好ましく、袋体の下部の肉厚は１３０〜２００μｍ程度であることが好ましい。この程度の肉厚とすることで、
一般に４０〜５０μｍ程度の合成樹脂製の汎用シートで袋体を構成する場合では予測できないような、荷重に対する耐久力の効果が生じることとなる。
【００７２】
また上記各実施形態では、袋体の上部、中間部、下部の３箇所をそれぞれ構成する合成樹脂製シートの肉厚を変えるように構成したが、このような３箇所に限らず、袋体の上部及び下部の２箇所を構成する合成樹脂製シートの肉厚を変えるように構成してもよく、或いは４箇所を構成する合成樹脂製シートの肉厚を変えるように構成してもよい。肉厚を変える部分の数は問わない。
【００７３】
また上記各実施形態では、袋体の上部における肉厚、中間部における肉厚、下部における肉厚の寸法を、それぞれのブロック毎に表示しているが、実際には合成樹脂製シートの肉厚は、各ブロック毎に肉厚の変化が不連続な状態となっているわけではなく、袋体の下側から上側に向かって連続的且つ徐々に肉厚が厚くなるように構成されている。これは、そのように袋体の下側から上側に向かって連続的且つ徐々に肉厚が厚くなるように構成する方が袋体を製造し易く、また合成樹脂製シートの性質上からも、そのように連続的且つ徐々に肉厚が厚くなるように構成する方が好ましいからである。
【００７４】
さらに上記各実施形態では、４個の挿入孔７ａ、７ｂ、７ｃ、７ｄのうち、両側の２個の挿入孔７ａ、７ｄを、中央の２個の挿入孔７ｂ、７ｃよりも、把持用ヘッダー２における上側の位置に形成したため、長い中指と薬指とを中央の２個の挿入孔に挿入し、短い人指し指と小指とを両側の２個の挿入孔に挿入する際に、指の長さに応じた位置にそれぞれの挿入孔が穿設されているので、指の挿入作業を容易に行うことができるという効果が得られたが、挿入孔７ａ、７ｂ、７ｃ、７ｄが穿設される位置も該実施形態に限定されるものではなく、たとえば４個の挿入孔７ａ、７ｂ、７ｃ、７ｄの挿入孔がすべて把持用ヘッダー２における同じ高さの位置に穿設されていてもよい。
【００７５】
さらに把持用ヘッダー２に穿設される挿入孔７ａ、７ｂ、７ｃ、７ｄの形状も上記実施形態１、２のような円形や、上記実施形態３、４のような、上向きに幅広となる曲線を上縁部１１及び下縁部１２に有するような形状に限定されるものではなく、これ以外の形状に形成することも可能である。要は指が挿入可能となるように形成されていればよいのである。
【００７６】
また上記各実施形態では、挿入孔が把持用ヘッダー２に４個穿設されていたが、
把持用ヘッダー２に穿設される挿入孔の数も該実施形態に限定されず、たとえば２個であってもよく、或いは１個の長孔が穿設されていてもよい。ただし、上記各実施形態のように４個穿設した場合には、親指以外の４本の指をそれぞれの挿入孔に挿入した状態で把持用ヘッダー２を保持することできるので、袋本体に水を収容して運搬する場合に、水に重量がかるにもかかわらず安定した状態で保持できるという効果がある。
【００７７】
さらに、上記各実施形態３、４における挿入孔７ａ、７ｂ、７ｃ、７ｄの上縁部
１１及び下縁部１２の曲線の曲率も限定されるものではない。従って、上縁部
１１の上側に形成される保持片１３の形状も該実施形態に限定されるものではない。
ただし、挿入孔７ａ、７ｂ、７ｃ、７ｄに挿入される指の痛を緩和するためには、
上記上縁部１１及び下縁部１２の曲線の曲率は、緩やかに形成されていることが好ましい。
【００７８】
尚、本発明においては、把持用ヘッダー２に挿入孔を穿設し、その挿入孔に指を挿入して把持用ヘッダー２を把持する、つまり把持用ヘッダー２を把持する手段として挿入孔を穿設する手段を採用することを主眼とするものであるが、把持用ヘッダー２を把持する手段として、挿入孔を穿設する手段以外の手段を採用することも可能である。
【００７９】
さらに上位実施形態では、袋本体１の表片１ａ側に、４本の容量表示線８ａ、８ｂ、８ｃ、８ｄを表示したが、容量表示線の本数も該実施形態に限定されるものであってもよく、たとえば３本或いは２本であってもよい。尚、このような容量表示線を表示することで、上述のような好ましい効果が得られるが、このような容量表示線を表示することも本発明に必須の条件ではない。
【００８０】
さらに上記各実施形態では、袋本体１と把持用ヘッダー２との区画部分に、２条のチャック３、３を設けたが、チャック３の条数も該実施形態に限定されるものではなく、たとえば１条或いは３条であってもよい。また、このようなチャック３を設けることも本発明に必須の条件ではなく、チャック３以外の手段によって袋本体を密封するように構成することも可能である。
【００８１】
さらに上記各実施形態では、２条のチャック３、３間に、相互に突き合わせ可能な突起６ａ、６ｂを、袋本体１の表片１ａ側と裏片１ｂ側とにそれぞれ３条ずつ突設したが、この突起６ａ、６ｂの条数も該実施形態に限定されるものではなく、たとえば１条、２条、或いは４条であってもよい。また、このような突起６ａ、６ｂによって、袋本体１の密封性をより良好にして水漏れを好適に防止できるという好ましい効果が得られたが、このような突起６ａ、６ｂを設けることも本発明に必須の条件ではない。
【００８２】
さらに、上記各実施形態では、１枚の合成樹脂製シートを折り返してその折返部を底部４とし、表片１ａ、裏片１ｂの両側縁を熱溶着等でシールすることによって袋本体１を袋状に形成したが、袋本体１の形態も該実施形態に限定されるものではなく、その形態は任意に変更可能である。
【００８３】
さらに該実施形態では、袋本体１及び把持用ヘッダー２をポリエチレンで構成したが、袋本体１及び把持用ヘッダー２の材質も該実施形態のポリエチレンに限定されるものではなく、ポリエチレン以外の合成樹脂、たとえばポリプロリレン、ポリエステル等で構成することも可能である。ただし、ポリ塩化ビニル等は、焼却時にダイオキシンなどの有害なガスを発生するおそれがあるため、避けることが望ましい。
【００８４】
尚、本発明は、上述のように災害等の非常時において、給水用として用いることを主眼としてので、収容される液体として水を用いることを主眼とするものであるが、災害等の非常時における給水用以外の用途に本発明を適用することも可能である。たとえば、袋本体に水を収容して凍らせ、クーラーボックスに食物や飲み物とともに入れて冷し、溶けた水は手洗いや食器洗いに使用し、或いはミネラルウォーターを凍らせて冷たい飲み物に使用する、いわゆるアイスパック等の使用法がある。このような使用法は、災害等の非常時において有用なことはもちろんであるが、このような非常時以外においてもこのような用い方をすることができる。
【００８５】
また、本発明の袋体は液体の収容用を主眼とするが、非常時においては、たとえば前調理した素材やカット野菜を持ち運ぶのに使用することもできる。またフリーザーパックに入りきらない食品の保存用としても使用することができる。さらに、手洗いや食器洗い用の水を入れて持ち運びすることもできる。従って給水用としてのみならず、災害等の非常時において有効に利用できる。このように液体以外の被収容物を収容することもできる。また液体以外の被収容物として、たとえばパウダー類や砂等の粉粒体や、ジェル等の被収容物を使用することも可能である。
【００８６】
いずれにしても、袋本体や把持用ヘッダーが合成樹脂製シート等で構成されているので、不使用時には丸めて保管するようなこともでき、保管時にスペースをとるようなこともない。
【００８７】
さらに水以外の液体の収容用として本発明の袋体を用いることも可能である。
【図面の簡単な説明】
【００８８】
【図１】一実施形態としての液体収容用袋体の正面図。
【図２】同Ａ−Ａ線断面図。
【図３】同要部拡大断面図。
【図４】袋本体を開封する状態を示す要部拡大断面図。
【図５】水を収容した状態の袋体の断面図。
【図６】密封時における袋体の要部拡大断面図。
【図７】他実施形態の袋体の断面図。
【図８】他実施形態の袋体の正面図。
【図９】同要部拡大正面図。
【図１０】図８のＢ−Ｂ線拡大断面図。
【図１１】図８のＣ−Ｃ線拡大断面図。
【図１２】挿入孔に指を挿入した状態を示す要部拡大断面図。
【図１３】他実施形態の袋体の挿入孔の形状を示す要部拡大正面図。
【符号の説明】
【００８９】
１…袋本体                      ２…把持用ヘッダー
３…チャック                    ６ａ，６ｂ…突起
７ａ、７ｂ、７ｃ、７ｄ…挿入孔
８ａ、８ｂ、８ｃ、８ｄ…容量表示線
１１…上縁部                    １２…下縁部
１３ａ、１３ｂ、１３ｃ、１３ｄ…保持片
【図１】
2007246119.tif 000003
【図２】
2007246119.tif 000004
【図３】
2007246119.tif 000005
【図４】
2007246119.tif 000006
【図５】
2007246119.tif 000007
【図６】
2007246119.tif 000008
【図７】
2007246119.tif 000009
【図８】
2007246119.tif 000010
【図９】
2007246119.tif 000011
【図１０】
2007246119.tif 000012
【図１１】
2007246119.tif 000013
【図１２】
2007246119.tif 000014
【図１３】
2007246119.tif 000015